(57)【要約】【課題】液晶表示素子等を用いた電子ビューファインダーにおいて、見えの良い接眼レンズを提供すること。【解決手段】液晶表示素子等の表示手段を用いた電子ビューファインダーであって、前記表示素子側から順に、正の屈折力の第１レンズと負の屈折力の第２レンズと両凸の第３レンズから構成される接眼レンズであり、下記の条件式を満足することを特徴とした接眼レンズ。０．４５＜ｆ１／ｆ＜１．３      ・・・（１）−０．５２＜ｆ２／ｆ＜−０．３  ・・・（２）(H)０．４５＜ｆ３／ｆ＜０．７５  ・・・（３）ここでｆ１は前記第１レンズの焦点距離、ｆ２は前記第２レンズの焦点距離、ｆ３は前記第３レンズの焦点距離、ｆは接眼レンズ全系の焦点距離を表す。【選択図】図１
2016166969.tif 000002
【特許請求の範囲】
【請求項１】
液晶表示素子の表示手段を用いた電子ビューファインダーであって、
前記表示素子側から順に、正の屈折力の第１レンズと
負の屈折力の第２レンズと
両凸の第３レンズから構成される接眼レンズであり、
下記の条件式を満足することを特徴とした接眼レンズ。
０．４５＜ｆ１／ｆ＜１．３      ・・・（１）
−０．５２＜ｆ２／ｆ＜−０．３  ・・・（２）
０．４５＜ｆ３／ｆ＜０．７５    ・・・（３）
ここでｆ１は前記第１レンズの焦点距離、ｆ２は前記第２レンズの焦点距離、ｆ３は前記第３レンズの焦点距離、ｆは接眼レンズ全系の焦点距離を表す。
【請求項２】
前記正の屈折力の第１レンズは下記の条件式を満足することを特徴とする請求項１に記載の接眼レンズ。
−１．７５＜ＳＦ１＜０．１４  ・・・（４）
ここで、ＳＦ１は前記第１レンズの表示素子側の曲率半径をｒ１１、表示素子と反対側の曲率半径をｒ１２とした時に、以下の式で与えられる。
ＳＦ１＝（ｒ１１＋ｒ１２）／（ｒ１１−ｒ１２）
【請求項３】
前記負の屈折力の第２レンズは下記の条件式を満足することを特徴とする請求項１に記載の接眼レンズ。
０．４＜ＳＦ２＜０．８２  ・・・（５）
ここで、ＳＦ２は前記第２レンズの表示素子側の曲率半径をｒ２１、表示素子と反対側の曲率半径をｒ２２とした時に、以下の式で与えられる。
ＳＦ２＝（ｒ２１＋ｒ２２）／（ｒ２１−ｒ２２）
【請求項４】
前記正の屈折力の第３レンズは下記の条件式を満足することを特徴とする請求項１に記載の接眼レンズ。
−０．６８＜ＳＦ３＜−０．２  ・・・（６）
ここで、ＳＦ３は前記第３レンズの表示素子側の曲率半径をｒ３１、表示素子と反対側の曲率半径をｒ３２とした時に、以下の式で与えられる。
ＳＦ３＝（ｒ３１＋ｒ３２）／（ｒ３１−ｒ３２）
【発明の詳細な説明】
【技術分野】
【０００１】
本発明は、接眼レンズに関し、特に液晶表示素子等を用いた電子ビューファインダーに好適な接眼レンズに関する。
【背景技術】
【０００２】
従来から、液晶表示素子等を用い電子ビューファインダー用の接眼レンズとして、観察倍率が大きく且つ諸収差を良好に補正した接眼レンズが求められている。
【０００３】
観察倍率を大きくしながらも、諸収差を良好に補正しようとしたものが従来から各種提案されている（特許文献１〜３）。
【０００４】
特許文献１には、観察物体側から順に、両凸の第１レンズ、観察物体側に強い凹面を向けた負の屈折力を有する第２レンズ、アイポイント側に凸面を向けた正の屈折力を有する第３レンズより構成している。前記第２レンズと第３レンズの間の空気レンズの形状及び、第３レンズの形状を所定の形状にすることでコマ収差と歪曲収差を補正する接眼学系が開示されている。
【０００５】
また、特許文献２には、観察物体側から順に、正の屈折力を有し物体側に凹面を向けたメニスカス形状の第１レンズと、負の屈折力を有し、物体側に凹面を向けたメニスカス形状の第２レンズと、正の屈折力を有する第３レンズから構成している。前記第３レンズの射出側のレンズ面が非球面とすることで、コマ収差、非点収差、像面湾曲等を補正する接眼光学系が開示されている。
【０００６】
さらに、特許文献３には、観察物体側から順に、正の屈折力を有する第１レンズと、負の屈折力を有する第２レンズと、正の屈折力を有する第３レンズを備えている。全系の焦点距離と主点間隔を所定の条件に収めることで、コンパクトで、高い結像性能を有しつつ、射出瞳径の大きな接眼光学系が開示されている。
【先行技術文献】
【特許文献】
【０００７】
【特許文献１】特開２０１０-１７５７９５号公報
【特許文献２】特開２０１０−２６６７７６号公報
【特許文献３】特開２００７−２６４１７９号公報
【発明の概要】
【発明が解決しようとする課題】
【０００８】
しかしながら、上述の特許文献１に開示された従来技術では、像面湾曲は補正されているものの、非点収差が大きい。
【０００９】
また、上記特許文献２に開示された従来技術では、非点収差は補正されているものの、像面湾曲が大きい。
【００１０】
また、上記特許文献３に開示された従来技術では、非点収差、像面湾曲共に補正が十分とは言えない。
【００１１】
そこで、本発明の目的は、液晶表示素子等を用いた電子ビューファインダーにおいて、高い観察倍率を有しながらも、像面湾曲、非点収差を良好に補正することを可能にした接眼光学系を提供することにある。
【課題を解決するための手段】
【００１２】
上記の目的を達成するために、本発明は、液晶表示素子等の表示手段を用いた電子ビューファインダーであって、前記表示素子側から順に、正の屈折力の第１レンズと、負の屈折力の第２レンズと、両凸の第３レンズから構成される接眼レンズであり、下記の条件式を満足することを特徴とした接眼レンズ。
０．４５＜ｆ１／ｆ＜１．３      ・・・（１）
−０．５２＜ｆ２／ｆ＜−０．３  ・・・（２）
０．４５＜ｆ３／ｆ＜０．７５    ・・・（３）
ここでｆ１は前記第１レンズの焦点距離、ｆ２は前記第２レンズの焦点距離、ｆ３は前記第３レンズの焦点距離、ｆは接眼レンズ全系の焦点距離を表す。
【発明の効果】
【００１３】
本発明によれば、液晶表示素子等を用いた電子ビューファインダーにおいて、高い観察倍率を有しながらも、像面湾曲、非点収差を良好に補正することを可能にした接眼光学系の提供を実現できる。
【図面の簡単な説明】
【００１４】
【図１】本発明の数値実施例１の光路を展開したときの断面図
【図２】本発明の数値実施例１の収差図
【図３】本発明の数値実施例２の光路を展開したときの断面図
【図４】本発明の数値実施例２の収差図
【図５】本発明の数値実施例３の光路を展開したときの断面図
【図６】本発明の数値実施例３の収差図
【図７】本発明の数値実施例４の光路を展開したときの断面図
【図８】本発明の数値実施例４の収差図
【図９】本発明の数値実施例５の光路を展開したときの断面図
【図１０】本発明の数値実施例５の収差図
【図１１】本発明の数値実施例６の光路を展開したときの断面図
【図１２】本発明の数値実施例６の収差図
【図１３】本発明の数値実施例７の光路を展開したときの断面図
【図１４】本発明の数値実施例７の収差図
【図１５】本発明の数値実施例８の光路を展開したときの断面図
【図１６】本発明の数値実施例８の収差図
【図１７】本発明の数値実施例９の光路を展開したときの断面図
【図１８】本発明の数値実施例９の収差図
【図１９】本発明の数値実施例１０の光路を展開したときの断面図
【図２０】本発明の数値実施例１０の収差図
【発明を実施するための形態】
【００１５】
以下に、本発明の好ましい実施の形態を、添付の図面に基づいて詳細に説明する。図１は、本発明の実施形態にかかわる接眼レンズの要部断面図である。
【００１６】
図１、図２は本発明の数値実施例１の光路図と収差図である。図３、図４は本発明の数値実施例２の光路図と収差図である。図５、図６は本発明の数値実施例３の一部分の光路図と収差図である。光路図と収差図においてはファインダー視度が―１ディオプトリーの時を示している。図7、図８は本発明の数値実施例４の一部分の光路図と収差図である。光路図と収差図においてはファインダー視度が―１ディオプトリーの時を示している。図９、図１０は本発明の数値実施例５の一部分の光路図と収差図である。光路図と収差図においてはファインダー視度が―１ディオプトリーの時を示している。図１１、図１２は本発明の数値実施例６の一部分の光路図と収差図である。光路図と収差図においてはファインダー視度が―１ディオプトリーの時を示している。図１３、図１４は本発明の数値実施例７の一部分の光路図と収差図である。光路図と収差図においてはファインダー視度が―１ディオプトリーの時を示している。図１５、図１６は本発明の数値実施例８の一部分の光路図と収差図である。光路図と収差図においてはファインダー視度が―１ディオプトリーの時を示している。図１７、図１８は本発明の数値実施例９の一部分の光路図と収差図である。光路図と収差図においてはファインダー視度が―１ディオプトリーの時を示している。図１９、図２０は本発明の数値実施例１０の一部分の光路図と収差図である。光路図と収差図においてはファインダー視度が―１ディオプトリーの時を示している。
【００１７】
図１において、１は液晶表示素子、２〜７は接眼レンズ、８、９はカバーガラス、１０はアイポイントを表している。本発明に係る接眼レンズ２は前記表示素子側から順に、正の屈折力の第１レンズと、負の屈折力の第２レンズと、両凸の第３レンズから構成される接眼レンズであり、下記の条件式を満足することを特徴とした接眼レンズである。
【００１８】
０．４５＜ｆ１／ｆ＜１．３      ・・・（１）
−０．５２＜ｆ２／ｆ＜−０．３  ・・・（２）
０．４５＜ｆ３／ｆ＜０．７５    ・・・（３）
ここでｆ１は前記第１レンズの焦点距離、ｆ２は前記第２レンズの焦点距離、ｆ３は前記第３レンズの焦点距離、ｆは接眼レンズ全系の焦点距離を表す。
【００１９】
ここで、ｆ１は前記負の第１レンズ群の焦点距離、ｆ３は前記負の第３レンズ群の焦点距離、ｆはファインダー全系の焦点距離を表す。
【００２０】
ここで、上記条件式（１）は前記正の屈折力の第１レンズの焦点距離を規定したものであり、条件式（２）は前記負の屈折力の第２レンズの焦点距離を規定するものであり、条件式（３）は前記両凸の第３レンズの焦点距離を規定するものである。
【００２１】
これらの条件式は観察倍率を高倍率化しながらも、非点収差、像面湾曲を良好に補正するための条件式である。
【００２２】
条件式（１）は像面湾曲と非点収差を良好に補正するための条件である。該条件式の下限を超えると前記第１レンズの屈折力が強くなる為、ペッツバール和が大きくなり、像面湾曲の補正が困難となる。一方、上限を超えると前記第１レンズの屈折力が弱くなるため、非点収差の補正が困難となる。
【００２３】
条件式（２）は像面湾曲と非点収差を良好に補正するための条件である。該条件式の下限を超えると前記第２レンズの屈折力が弱まるため、ペッツバール和が大きくなり、像面湾曲の補正が困難となる。一方、上限を超えると前記第２レンズの屈折力が強くなり、非点収差の補正が困難となる。
【００２４】
条件式（３）は像面湾曲と非点収差を良好に補正するための条件である。該条件式の下限を超えると前記第３レンズの屈折力が強くなる為、ペッツバール和が大きくなり、像面湾曲の補正が困難となる。一方、上限を超えると前記第３レンズの屈折力が弱くなるため、非点収差の補正が困難となる。
【００２５】
また、本発明の接眼レンズにおいては前記正の屈折力の第１レンズは下記の条件式を満足することを特徴とする。
【００２６】
−１．７５＜ＳＦ１＜０．１４  ・・・（４）
ここで、ＳＦ１は前記第１レンズの表示素子側の曲率半径をｒ１１、表示素子と反対側
の曲率半径をｒ１２とした時に、以下の式で与えられる。
【００２７】
ＳＦ１＝（ｒ１１＋ｒ１２）／（ｒ１１−ｒ１２）
条件式（４）は非点収差を良好に補正するための条件である。該条件式の下限を超えると、非点収差が過補正となる。一方、上限を超えると、非点収差が補正不足となる。
また、本発明の接眼レンズにおいては前記正の屈折力の第２レンズは下記の条件式を
満足することを特徴とする。
【００２８】
０．４＜ＳＦ２＜０．８２  ・・・（５）
ここで、ＳＦ２は前記第２レンズの表示素子側の曲率半径をｒ２１、表示素子と反対側の曲率半径をｒ２２とした時に、以下の式で与えられる。
【００２９】
ＳＦ２＝（ｒ２１＋ｒ２２）／（ｒ２１−ｒ２２）
条件式（５）は非点収差を良好に補正するための条件である。該条件式の下限を超えると、非点収差が補正不足となる。一方、上限を超えると、非点収差が過補正となる。
【００３０】
また、本発明の接眼レンズにおいては前記正の屈折力の第２レンズは下記の条件式を
満足することを特徴とする。
【００３１】
また、本発明の接眼レンズにおいては前記正の屈折力の第３レンズは下記の条件式を
満足することを特徴とする。
【００３２】
−０．６８＜ＳＦ３＜−０．２  ・・・（６）
ここで、ＳＦ３は前記第３レンズの表示素子側の曲率半径をｒ３１、表示素子と反対側の曲率半径をｒ３２とした時に、以下の式で与えられる。
【００３３】
ＳＦ３＝（ｒ３１＋ｒ３２）／（ｒ３１−ｒ３２）
条件式（６）は非点収差を良好に補正するための条件である。該条件式の下限を超えると、非点収差が補正不足となる。一方、上限を超えると、非点収差が過補正となる。
【００３４】
次に本発明の接眼レンズの数値実施例を図１、図３、図５、図７、図９、図１１、図１３、図１５、図１７、図１９に示す光学系を基に示す。各実施例において、非球面には面番号の右側に＊印を付けている。非球面は光軸に垂直な高さをＨとし、高さＨにおける光軸方向の変位量をＸ、基準面の曲率半径をＲとし、コーニック定数をＫ、ｎ次の非球面係数をＡｎとしたとき以下の数式で表される。
【００３５】
【数１】
2016166969.tif 000003
【実施例１】
【００３６】
以下、図１を参照して、本発明の第１の実施例による、接眼レンズについて説明する。接眼レンズは表示素子側から順に正の屈折力の第１レンズ、負の屈折力の第２レンズ、正の屈折力の第３レンズから構成されている。
【００３７】
単位 mm
面データ
面番号       r        d      nd         vd
1          ∞     (可変)                             
2*        17.425    5.47   1.53110    56.2           
3        -23.000    2.91                             
4*       -12.100    2.00   1.58306    30.2           
5         29.543    2.96                             
6         27.765    5.00   1.53110    56.2           
7*       -17.729  (可変)                             
8          ∞       1.00   1.51633    64.1           
9          ∞      20.00                             
10  (アイポイント)
非球面データ
第3面
K = 0.00000e+000  A 4=-2.57582e-005  A 6=-3.88777e-007  A 8=-2.94239e-009  A10=-9.15024e-012  
第5面
K = 0.00000e+000  A 4= 6.88872e-005  A 6= 2.31330e-006  A 8=-1.07127e-008  A10= 5.88694e-011  
第8面
K = 0.00000e+000  A 4= 5.56782e-005  A 6= 4.27564e-007  A 8=-1.20501e-009  
各種データ
視度            -1       -3      +1
焦点距離      28.64    28.64    28.64  
アイポイント  20.00    20.00    20.00  
d 1           18.62    16.93    20.25  
d 8            2.13     3.82     0.50  
視野角  25.0°
【実施例２】
【００３８】
以下、図３を参照して、本発明の第２の実施例による、接眼レンズについて説明する。接眼レンズは表示素子側から順に正の屈折力の第１レンズ、負の屈折力の第２レンズ、正の屈折力の第３レンズから構成されている。
【００３９】
単位 mm
面データ
面番号       r        d      nd         vd
1          ∞     (可変)                             
2*       220.328    4.00   1.53110    56.2           
3        -14.395    2.44                             
4*        -8.973    4.37   1.58306    30.2           
5         47.320    1.13                             
6         26.672    9.27   1.65160    58.5           
7*       -15.000  (可変)                             
8          ∞       1.00   1.51633    64.1           
9          ∞      20.00                             
10  (アイポイント)
非球面データ
第3面
K = 0.00000e+000  A 4= 6.89149e-005  A 6=-1.47164e-006  A 8= 3.20497e-008  A10=-4.55168e-010  
第5面
K = 0.00000e+000  A 4=-1.02955e-004  A 6= 2.97175e-006  A 8=-4.39597e-008  A10= 1.04003e-009  
第8面
K = 0.00000e+000  A 4= 3.47970e-005  A 6= 2.14110e-007  A 8= 8.69833e-010  A10=-4.92877e-014  
各種データ
視度           -1       -3        +1
焦点距離      26.58    26.58    26.58  
アイポイント  20.00    20.00    20.00  
d 1            9.87     8.48    11.29  
d 8            1.91     3.31     0.50  
視野角  26.9°
【実施例３】
【００４０】
以下、図５を参照して、本発明の第３の実施例による、接眼レンズについて説明する。接眼レンズは表示素子側から順に正の屈折力の第１レンズ、負の屈折力の第２レンズ、正の屈折力の第３レンズから構成されている。
【００４１】
単位 mm
面データ
面番号       r        d      nd         vd
1          ∞     (可変)                             
2*      -147.074    4.00   1.53110    56.2           
3        -11.032    3.01                             
4*        -7.578    3.89   1.58306    30.2           
5         35.022    1.09                             
6         44.785    6.42   1.69350    53.2           
7*       -12.181  (可変)                             
8          ∞       1.00   1.51633    64.1           
9          ∞      20.00                             
10  (アイポイント)
非球面データ
第3面
K = 0.00000e+000  A 4=-5.37791e-005  A 6=-2.17645e-006  A 8= 2.58199e-008  A10=-8.16935e-011  
第5面
K = 0.00000e+000  A 4=-2.65191e-005  A 6= 6.50881e-006  A 8=-1.67708e-007  A10= 2.68929e-009  
第8面
K = 0.00000e+000  A 4= 2.53153e-005  A 6= 3.48436e-007  A 8=-2.35382e-009  A10= 2.82514e-011  
各種データ
視度           -1       -3       +1
焦点距離      26.73    26.73    26.73  
アイポイント  22.29    24.33    21.50  
d 1           10.68     9.27    12.10  
d 8            1.92     3.33     0.50  
視野角  26.8°
【実施例４】
【００４２】
以下、図７を参照して、本発明の第４の実施例による、接眼レンズについて説明する。接眼レンズは表示素子側から順に正の屈折力の第１レンズ、負の屈折力の第２レンズ、正の屈折力の第３レンズから構成されている。
【００４３】
単位 mm
面データ
面番号       r        d      nd         vd
1          ∞     (可変)                             
2*      -226.955    4.00   1.53110    56.2           
3        -10.709    2.58                             
4*        -7.774    3.20   1.58306    30.2           
5         37.117    0.97                             
6         42.166    7.13   1.67790    54.9           
7*       -12.106  (可変)                             
8          ∞       1.00   1.51633    64.1           
9          ∞      20.00                             
10  (アイポイント)
非球面データ
第3面
K = 0.00000e+000  A 4=-2.15648e-005  A 6=-4.47615e-006  A 8= 6.54002e-008  A10=-3.50650e-010  
第5面
K = 0.00000e+000  A 4=-1.10727e-004  A 6= 1.01512e-005  A 8=-2.52389e-007  A10= 3.14586e-009  
第8面
K = 0.00000e+000  A 4= 2.02814e-005  A 6= 5.84230e-007  A 8=-5.37666e-009  A10= 4.51441e-011  
各種データ
視度           -1       +1       -3
焦点距離      25.13    25.13    25.13  
アイポイント  20.00    20.00    20.00  
d 1           10.37     9.12    11.63  
d 8            1.75     3.00     0.49  
視野角  28.4°
【実施例５】
【００４４】
以下、図９を参照して、本発明の第５の実施例による、接眼レンズについて説明する。接眼レンズは表示素子側から順に正の屈折力の第１レンズ、負の屈折力の第２レンズ、正の屈折力の第３レンズから構成されている。
【００４５】
単位 mm
面データ
面番号       r        d      nd         vd
1          ∞     (可変)                             
2        -48.087    3.21   1.53110    56.2           
3*        -7.136    2.09                             
4*        -6.013    1.99   1.58306    30.2           
5         46.277    1.98                             
6         44.134    5.73   1.53110    56.2           
7*        -9.478  (可変)                             
8          ∞       1.00   1.51633    64.1           
9          ∞      20.00                             
10  (アイポイント)
非球面データ
第4面
K =-2.68073e+000  A 4=-6.77750e-005  A 6=-3.73340e-006  A 8= 8.49664e-008  A10=-8.41998e-010  
第5面
K =-2.71409e+000  A 4=-4.78891e-004  A 6=-5.42750e-006  A 8= 1.35360e-007  A10=-2.76115e-009  
第8面
K =-7.48678e-001  A 4=-4.67186e-006  A 6=-6.53682e-007  A 8= 5.04919e-009  A10=-2.68255e-011  
各種データ
視度           -1       -3       +1
焦点距離      26.00    26.00    26.00  
アイポイント  20.00    20.00    20.00  
d 1           12.22    10.88    13.57  
d 8            1.77     3.10     0.42  
視野角  27.5°
【実施例６】
【００４６】
以下、図１１を参照して、本発明の第６の実施例による、接眼レンズについて説明する。接眼レンズは表示素子側から順に正の屈折力の第１レンズ、負の屈折力の第２レンズ、正の屈折力の第３レンズから構成されている。
【００４７】
単位 mm
面データ
面番号       r        d      nd         vd
1          ∞     (可変)                             
2        -47.236    3.31   1.53110    56.2           
3*        -6.006    1.63                             
4*        -5.663    1.99   1.58306    30.2           
5         29.868    2.38                             
6         48.780    5.73   1.53110    56.2           
7*        -9.633  (可変)                             
8          ∞       1.00   1.51633    64.1           
9          ∞      20.00                             
10  (アイポイント)
非球面データ
第4面
K =-3.05604e+000  A 4=-1.00862e-004  A 6=-2.75845e-006  A 8= 8.39979e-008  A10=-9.58508e-010  
第5面
K =-3.48048e+000  A 4=-3.85288e-004  A 6=-5.85048e-006  A 8= 1.72670e-007  A10=-3.74502e-009  
第8面
K =-7.81743e-001  A 4=-7.51095e-006  A 6=-1.01502e-006  A 8= 6.61508e-009  A10=-4.77434e-011  
各種データ
視度           -1       -3       +1
焦点距離      26.00    26.00    26.00  
アイポイント  20.00    20.00    20.00  
d 1           12.21    10.88    13.57  
d 8            1.75     3.08     0.39  
視野角  27.4°
【実施例７】
【００４８】
以下、図１３を参照して、本発明の第７の実施例による、接眼レンズについて説明する。接眼レンズは表示素子側から順に正の屈折力の第１レンズ、負の屈折力の第２レンズ、正の屈折力の第３レンズから構成されている。
【００４９】
単位 mm
面データ
面番号       r        d      nd         vd
1          ∞     (可変)                             
2        -48.601    4.06   1.53110    56.2           
3*       -12.741    5.53                             
4*        -6.775    2.00   1.58306    30.2           
5         65.089    0.58                             
6         47.239    5.76   1.67790    54.9           
7*        -9.613  (可変)                             
8          ∞       1.00   1.51633    64.1           
9          ∞      20.00                             
10  (アイポイント)
非球面データ
第4面
K =-1.39912e+000  A 4=-3.13415e-005  A 6=-1.41249e-006  A 8= 7.10229e-009  A10=-9.02663e-011  
第5面
K =-1.00395e+000  A 4=-4.67500e-004  A 6=-7.51668e-006  A 8=-6.55266e-008  A10=-7.42807e-010  
第8面
K =-7.33054e-001  A 4=-4.85716e-005  A 6=-2.57875e-007  A 8= 1.87825e-009  A10= 8.29608e-012  
各種データ
視度           -1       -3       +1 
焦点距離      26.00    26.00    26.00  
アイポイント  20.00    20.00    20.00  
d 1            9.24     7.90    10.58  
d 8            1.83     3.17     0.48  
視野角  27.5°
【実施例８】
【００５０】
以下、図１５を参照して、本発明の第８の実施例による、接眼レンズについて説明する。接眼レンズは表示素子側から順に正の屈折力の第１レンズ、負の屈折力の第２レンズ、正の屈折力の第３レンズから構成されている。
【００５１】
単位 mm
面データ
面番号       r        d      nd         vd
1          ∞     (可変)                             
2        -51.639    5.71   1.53110    56.2           
3*        -9.745    3.76                             
4*        -6.825    2.00   1.58306    30.2           
5         66.598    0.52                             
6         46.973    6.31   1.67790    54.9           
7*       -10.334  (可変)                             
8          ∞       1.00   1.51633    64.1           
9          ∞      20.00                             
10  (アイポイント)
非球面データ
第4面
K =-5.02943e+000  A 4=-3.66192e-004  A 6= 4.14918e-006  A 8=-3.83473e-008  A10= 6.13887e-011  
第5面
K =-3.22833e+000  A 4=-9.34118e-004  A 6= 7.94495e-006  A 8=-1.76364e-007  A10= 5.41142e-010  
第8面
K =-8.21798e-001  A 4=-2.42935e-005  A 6=-2.66958e-007  A 8= 1.25809e-009  A10= 3.67082e-012  
各種データ
視度           -1       -3       +1
焦点距離      23.00    23.00    23.00  
アイポイント  20.00    20.00    20.00  
d 1            8.87     7.27     9.39  
d 8            1.02     2.61     0.49  
視野角  30.9°
【実施例９】
【００５２】
以下、図１7を参照して、本発明の第９の実施例による、接眼レンズについて説明する。接眼レンズは表示素子側から順に正の屈折力の第１レンズ、負の屈折力の第２レンズ、正の屈折力の第３レンズから構成されている。
【００５３】
単位 mm
面データ
面番号       r        d      nd         vd
1          ∞     (可変)                             
2         32.817    4.38   1.53110    56.2           
3*       -10.245    2.88                             
4*        -6.399    1.99   1.58306    30.2           
5         34.424    1.27                             
6         57.896    5.15   1.76802    49.2           
7*       -11.964  (可変)                             
8          ∞       1.00   1.51633    64.1           
9          ∞      20.00                             
10  (アイポイント)
非球面データ
第4面
K =-5.75048e+000  A 4=-2.75845e-004  A 6= 3.71829e-006  A 8=-2.80232e-008  A10= 3.47900e-011  
第5面
K =-3.09102e+000  A 4=-7.07257e-004  A 6= 1.01849e-005  A 8=-1.32611e-007  A10= 6.15125e-010  
第8面
K =-1.25310e+000  A 4=-1.70397e-005  A 6=-2.13410e-007  A 8= 8.66853e-010  A10=-5.78192e-012  
各種データ
視度           -1       -3       +1 
焦点距離      22.00    22.00    22.00  
アイポイント  20.00    20.00    20.00  
d 1           10.94     9.95    11.91  
d 8           1.46     2.45     0.50  
視野角  32.1°
【実施例１０】
【００５４】
以下、図１９を参照して、本発明の第１０の実施例による、接眼レンズについて説明する。接眼レンズは表示素子側から順に正の屈折力の第１レンズ、負の屈折力の第２レンズ、正の屈折力の第３レンズから構成されている。
【００５５】
単位 mm
面データ
面番号       r        d      nd         vd
1          ∞     (可変)                             
2         31.514    4.69   1.53110    56.2           
3*        -9.513    2.73                             
4*        -6.316    1.99   1.58306    30.2           
5         35.536    1.20                             
6         52.966    5.39   1.76802    49.2           
7*       -12.182  (可変)                             
8          ∞       1.00   1.51633    64.1           
9          ∞      20.00                             
10  (アイポイント)
非球面データ
第4面
K =-5.21955e+000  A 4=-2.71095e-004  A 6= 3.76566e-006  A 8=-2.88037e-008  A10= 7.67936e-011  
第5面
K =-3.06715e+000  A 4=-6.39443e-004  A 6= 9.17547e-006  A 8=-1.10922e-007  A10= 5.26100e-010  
第8面
K =-1.34120e+000  A 4=-1.27313e-005  A 6=-1.84734e-007  A 8= 7.39906e-010  A10=-2.86511e-012  
各種データ
視度           -1       -3       +1 
焦点距離      21.00    21.00    21.00  
アイポイント  20.00    20.00    20.00  
d 1           10.23     9.33    11.12  
d 8            1.38     2.28     0.49  
視野角  33.5°
【００５６】
以下の表１に各実施例における条件式（１）から（６）に対応した数値を示す。
【表１】
2016166969.tif 000004
【００５７】
以上、本発明の好ましい実施形態について説明したが、本発明はこれらの実施形態に限定されず、その要旨の範囲内で種々の変形及び変更が可能である。
【符号の説明】
【００５８】
１  液晶表示素子、２  接眼レンズ
【図１】
2016166969.tif 000005
【図２】
2016166969.tif 000006
【図３】
2016166969.tif 000007
【図４】
2016166969.tif 000008
【図５】
2016166969.tif 000009
【図６】
2016166969.tif 000010
【図７】
2016166969.tif 000011
【図８】
2016166969.tif 000012
【図９】
2016166969.tif 000013
【図１０】
2016166969.tif 000014
【図１１】
2016166969.tif 000015
【図１２】
2016166969.tif 000016
【図１３】
2016166969.tif 000017
【図１４】
2016166969.tif 000018
【図１５】
2016166969.tif 000019
【図１６】
2016166969.tif 000020
【図１７】
2016166969.tif 000021
【図１８】
2016166969.tif 000022
【図１９】
2016166969.tif 000023
【図２０】
2016166969.tif 000024